(57)【要約】      （修正有）【課題】体積を縮小することができ、かつ好ましい蒸気の効果が得られる蒸気発生手段を提供する。【解決手段】ハウジングは内壁の対向する位置にそれぞれ凹溝を形成した収納室を有するとともに、底部に噴射口を設け、一端に形成された開口端が外側に延伸した当止板を具えてなり、加熱体は本体の一端に密封リングを接合する当止板を具えてハウジングの当止板に固定接続され、ハウジングの凹溝に対応して凹溝に挿入するために供し、切り欠き口を具えた突出した凸縁部を設け、本体の下側に対応する当止板の下側に給水孔が設けられ、内部の中心に気体収納室を設け、気体収納室は底部に貫通した噴射口を形成するとともに、ハウジングの内部と加熱体の外側との間に空間が形成され、凸縁部の下方の空間には給水口に貫通した水収納室が形成され、上方の空間は切り欠き口と気体収納室に貫通した回流管が形成される。【選択図】図４
0003122060.tif 000002
【実用新案登録請求の範囲】
【請求項１】
内部に収納室が形成されるやや楕円に近い筒状の本体によってなるハウジングと、
該ハウジングの収納室に設けられる加熱体とによってなる蒸気発生手段であって、該ハウジングは内壁の対向する位置にそれぞれ凹溝を形成した収納室を有するとともに、底部に噴射口を設け、一端の開口端に、外側に延伸した当止板を具えてなり、加熱体は、ハウジングの体積を縮小した断面がＵ字状の熱を発生する本体を具えてなり、該本体の一端に密封リングに対応して接合する当止板を具えてなり、ハウジングの当止板と固定接続され、該本体にはハウジングの凹溝に対応して突出した凸縁部を設けてなり、凹溝に挿入するために供し、該凸縁部には切り欠き口が設けられ、該当止板の側面の下方で本体の下側に対応する位置には給水孔が設けられ、本体の内部の中心には気体収納室がもうけられ、該気体収納室は底部に貫通した噴射口が形成されるとともに、ハウジングの内部と加熱体の本体の外側との間に空間が形成され、凸縁部の下方の空間には給水口に貫通した水収納室が形成され、上方の空間は切り欠き口と気体収納室に貫通した回流管が形成されることを特徴とする蒸気発生手段。
【請求項２】
前記加熱体は気体収納室の底部にハウジングの噴出口と連通した弁を設け、該弁に中央に噴射孔を穿設してなるヘッドを設け、加熱体の当止板に円い貫通孔を形成し、ハウジングの当止板に該貫通孔に対応した螺子溝を具えた貫通孔を形成して、螺子でそれぞれの当止板を螺合することを特徴とする請求項１に記載の蒸気発生手段。
【請求項３】
前記加熱体は、内部に発熱体を具えてなり、当止板上に発熱体に対応して接続する導電ヘッドを設けてなることを特徴とする請求項１に記載の蒸気発生手段。
【請求項４】
前記給水孔は、防水リングを嵌挿した給水ヘッドの一端にネジ山を螺合させて密封し、加熱体の気体収納室は、外側に延伸した当止板に開口を形成し、該開口にはヘッドのない螺子を螺設して密封することを特徴とする請求項２に記載の蒸気発生手段。
【請求項５】
前記本体は一端が気体収納室に貫通し、他端が本体に貫通した管体を設けてなり、該管体は回流管に貫通することを特徴とする請求項１に記載の蒸気発生手段。
【請求項６】
管体と噴射口は軸方向において差がある位置に設けられ、噴射口は比較的給水口に近い位置に設けられることを特徴とする請求項５に記載の蒸気発生手段。
【請求項７】
前記ハウジングと加熱体は、間にもう１つの加熱体を設けることを特徴とする請求項１に記載の蒸気発生手段。
【請求項８】
前記加熱体は、外側に凸縁部が設けられ、ハウジングの凹溝に挿入するために供し、内壁に凹溝が設けられ、加熱体の凸縁部を挿入するために供し、加熱体はヘッドを設けるための孔が形成され、軸方向に沿って複数の貫通孔が形成され、少なくとも１つの貫通孔が管体に対応し、ハウジングの内壁と加熱体の外側との間には下方の空間に水収納室が形成され、上方の空間に回流管が形成され、加熱体の内壁と加熱体の外側との間の空間には第２回流管が形成され、第２回流管は貫通孔により、回流管、水収納室に貫通することを特徴とする請求項７に記載の蒸気発生手段。
【請求項９】
前記加熱体は、一端に当止板が設けられ、内部に発熱体が設けられ、該当止板の外側端縁部に発熱体に接続する導電ヘッドを具えてなることを特徴とする請求項８に記載の蒸気発生手段。
【考案の詳細な説明】
【技術分野】
【０００１】
この考案は蒸気発生手段に関し、特に蒸気洗浄機、もしくはスチームアイロンなどに応用される蒸気発生手段に関する。
【背景技術】
【０００２】
蒸気洗浄機は、洗浄を行う機械であって、内部に水を収納するタンクと、蒸気発生手段を具え、該タンク内の水をポンプで加圧して該蒸気発生手段に送り、該蒸気発生手段で加熱して沸騰させ、蒸気を発生させる。発生した蒸気は所定の蒸気出口から外部に放出され、加湿、高温殺菌、洗浄に利用される。また、蒸気発生手段をアイロンに応用した場合、アイロンから放出される蒸気によって、しわを伸ばし、形を整える効果を短時間で達成することができる。
【０００３】
本願の発明人は、従来の蒸気発生手段に見られる問題を解決するため改良を加え、中国に実用新案登録を出願した。該実用新案は公開ＣＮ２６６３８０６Ｙであって、２次加熱を行う蒸気発生手段を提供するものである。即ち、該蒸気発生手段は堅牢なハウジングを有し、該ハウジング内の空間に合わせて加熱体を収納した複数のチャンバと、及び気体室を形成してなり、蒸気発生手段に進入した水が該加熱体の作用で内部と外部から逐次加熱され、さらに該複数のチャンバの間に形成される隙間、流通経路の作用も加わり、水が段階的に加熱、加圧されて発生する蒸気の利用率を高めることができる。
【０００４】
しかしながら、前述の蒸気発生手段は、内部に設ける加熱体の一端がハウジング内の対応する内壁面に対して面対面で接触し、しかも、接触箇所が気体室、及び水蒸気が回流する空間に隣接していて、かついずれも金属製で硬質の加熱体とハウジングが面で接触する箇所には、気密性の防水措置が採用されていない。このためハウジング内の空間の水が容易に蒸気出口の気体室の流通経路に進入し、蒸気の温度が下がり、放出する蒸気に完全に気化されない水分子が含まれるようになり、高温、高圧の蒸気による効果が低下する。
【０００５】
また、上述する実用新案は、蒸気発生手段が円筒形状であるため、占用する空間が大きくなり、これを収納するハウジングも相対的に体積が大きくなる。かかる状況は、装置の軽量化によって使用上の利便性を得るというニーズにそぐわないものである。
【０００６】
さらに、水、蒸気の流通に供する収納空間から気体室に到る通路は、外側から中心方向に向かうように形成され、迂回することなく単純な経路である。しかも収納空間と空気室とに連通する横穴を形成する。よって、気体室の一端の蒸気が噴出する噴出孔の距離が長くなり、気体室の内径が収納空間の内径より大きくなり、蒸気を推進させるためには更に大きな圧力が必要になる。このため圧縮膨張効果が低下し、予期するほどの高圧蒸気の効果が得られない。
【考案の開示】
【考案が解決しようとする課題】
【０００７】
この考案は体積を縮小できる蒸気発生手段を提供することを課題とする。
【０００８】
また、この考案は限りある空間内において温度と圧力を高め、好ましい蒸気の効果が得られる蒸気発生手段を提供することを課題とする。
【課題を解決するための手段】
【０００９】
そこで、本考案の考案者は従来の技術に見られる欠点に鑑みて鋭意研究を重ねた結果、断面がU字状を呈する本体を具え、該本体の内部に収納室が形成され、該収納室は内壁に沿って複数の凹溝が形成され、該凹溝は収納室の両側に対向するように少なくとも２つ形成され、本体の底部には噴射口が設けられ、本体の一端に形成された開口端は、外側に延伸した当止板を具えてなるハウジングと、ハウジングの体積を縮小した断面がＵ字状の熱を発生する本体を具えてなり、該本体の一端に密封リングに対応して接合する当止板を具えてなり、ハウジングの当止板と固定接続され、該本体にはハウジングの凹溝に対応して突出した凸縁部を設けてなり、凹溝に挿入するために供し、該凸縁部には切り欠き口が設けられ、該当止板の側面の下方で本体の下側に対応する位置には給水孔が設けられ、本体の内部の中心には気体収納室がもうけられ、該気体収納室は底部に貫通した噴射口が形成されるとともに、ハウジングの内部と加熱体の本体の外側との間に空間が形成され、凸縁部の下方の空間には給水口に貫通した水収納室が形成され、上方の空間は切り欠き口と気体収納室に貫通した回流管が形成される蒸気発生手段によって課題を解決できる点に着眼し、かかる知見に基づいて本発明を完成させた。
【００１０】
以下、この考案について具体的に説明する。
請求項１に記載の蒸気発生手段は、内部に収納室が形成されるやや楕円に近い筒状の本体によってなるハウジングと、該ハウジングの収納室に設けられる加熱体とによってなる蒸気発生手段であって、該収納室は内壁の対向する位置にそれぞれ凹溝を形成した収納室を有するとともに、底部に噴射口を設け、一端の開口端に、外側に延伸した当止板を具えてなり、加熱体は、ハウジングの体積を縮小した断面がＵ字状の熱を発生する本体を具えてなり、該本体の一端に密封リングに対応して接合する当止板を具えてなり、ハウジングの当止板と固定接続され、該本体にはハウジングの凹溝に対応して突出した凸縁部を設けてなり、凹溝に挿入するために供し、該凸縁部には切り欠き口が設けられ、該当止板の側面の下方で本体の下側に対応する位置には給水孔が設けられ、本体の内部の中心には気体収納室がもうけられ、該気体収納室は底部に貫通した噴射口が形成されるとともに、ハウジングの内部と加熱体の本体の外側との間に空間が形成され、凸縁部の下方の空間には給水口に貫通した水収納室が形成され、上方の空間は切り欠き口と気体収納室に貫通した回流管が形成される。
【００１１】
請求項２に記載の蒸気発生手段は、請求項１における加熱体が気体収納室の底部にハウジングの噴出口と連通した弁を設け、該弁に中央に噴射孔を穿設したヘッドを設け、加熱体の当止板に円い貫通孔を形成し、ハウジングの当止板に該貫通孔に対応した螺子溝を具えた貫通孔を形成して、螺子でそれぞれの当止板を螺合する。
【００１２】
請求項３に記載の蒸気発生手段は、請求項１における加熱体が、内部に発熱体を具えてなり、当止板上に発熱体に対応して接続する導電ヘッドを設けてなる。
【００１３】
請求項４に記載の蒸気発生手段は、請求項２における給水孔が、防水リングを嵌挿した給水ヘッドの一端にネジ山を螺合させて密封し、加熱体の気体収納室は、外側に延伸した当止板に開口を形成し、該開口にはヘッドのない螺子を螺設して密封する。
【００１４】
請求項５に記載の蒸気発生手段は、請求項１における本体の一端が気体収納室に貫通し、他端が本体に貫通した管体を設けてなり、該管体は回流管に貫通する。
【００１５】
請求項６に記載の蒸気発生手段は、請求項５における管体と噴射口が軸方向において差がある位置に設けられ、噴射口は比較的給水口に近い位置に設けられる。
【００１６】
請求項７に記載の蒸気発生手段は、請求項１におけるハウジングと加熱体が、間にもう１つの加熱体を設けてもよい。
【００１７】
請求項８に記載の蒸気発生手段は、請求項７における加熱体が、外側に凸縁部が設けられ、ハウジングの凹溝に挿入するために供し、内壁に凹溝が設けられ、加熱体の凸縁部を挿入するために供し、加熱体はヘッドを設けるための孔が形成され、軸方向に沿って複数の貫通孔が形成され、少なくとも１つの貫通孔が管体に対応し、ハウジングの内壁と加熱体の外側との間には下方の空間に水収納室が形成され、上方の空間に回流管が形成され、加熱体の内壁と加熱体の外側との間の空間には第２回流管が形成され、第２回流管は貫通孔により、回流管、水収納室に貫通する。
【００１８】
請求項８に記載の蒸気発生手段は、請求項８における加熱体が、一端に当止板が設けられ、内部に発熱体が設けられ、該当止板の外側端縁部に発熱体に接続する導電ヘッドを具えてなることを特徴とする請求項８に記載の蒸気発生手段。
【考案の効果】
【００１９】
この考案による蒸気発生手段は、ハウジングと加熱体の断面がＵ字状に形成されているため、体積が小さくなり、小型で軽量の製品を製造することができるとともに、気体収納空間などが湾曲して形成されているため、蒸気が加熱体の内部に長く滞留して反復して加熱され、流動箇所の面積の変化などで蒸気が圧縮されるため、高温、高圧の蒸気を発生する効果を有する。
【００２０】
また、この考案による蒸気発生手段は、ハウジングと加熱体の間に設けられる密封リングが、加熱体の熱源から離れた位置に設けられるため、気密性、防水性が高まるとともに、熱の影響で融解することがなく、使用寿命が長くなるという効果を有する。
【考案を実施するための最良の形態】
【００２１】
この考案は、体積を縮小でき、限りある空間内において温度と圧力を高め、好ましい蒸気の効果が得られる蒸気発生手段を提供するものであって、断面がU字状を呈する本体を具え、該本体の内部に収納室が形成され、該収納室は内壁に沿って複数の凹溝が形成され、該凹溝は収納室の両側に対向するように少なくとも２つ形成され、本体の底部には噴射口が設けられ、本体の一端に形成された開口端は、外側に延伸した当止板を具えてなるハウジングと、  ハウジングの体積を縮小した断面がＵ字状の熱を発生する本体を具えてなり、該本体の一端に密封リングに対応して接合する当止板を具えてなり、ハウジングの当止板と固定接続され、該本体にはハウジングの凹溝に対応して突出した凸縁部を設けてなり、凹溝に挿入するために供し、該凸縁部には切り欠き口が設けられ、該当止板の側面の下方で本体の下側に対応する位置には給水孔が設けられ、本体の内部の中心には気体収納室がもうけられ、該気体収納室は底部に貫通した噴射口が形成されるとともに、ハウジングの内部と加熱体の本体の外側との間に空間が形成され、凸縁部の下方の空間には給水口に貫通した水収納室が形成され、上方の空間は切り欠き口と気体収納室に貫通した回流管が形成される。
かかる構成の蒸気発生手段の構成と特徴を詳述するために具体的な実施例を挙げ、図示を参照にして以下に説明する。
【実施例】
【００２２】
この考案による蒸気発生手段は図１、２に開示するようにハウジング１０と、加熱体２０とを含んでなり、加熱体２０はハウジング１０内に設ける。
【００２３】
図１、３、４に開示するように、ハウジング１０は断面がＵ字状を呈する本体１１を具え、ハウジング１０内には収納室１２が形成される。該収納室１２は内壁側面、軸方向に沿って凹溝１２１が形成され、収納室１２内において対向する位置にそれぞれ凹溝１２１が形成される。本体１１は、底部に噴射口１３が設けられる。該噴射口１３は本体１１の開口に比較的近い位置に形成することが好ましく、噴射口１３の中央には噴射孔１４１を具えたノズル１４が貫通して設けられる。
【００２４】
ハウジング１０は開口端に外周縁部から外側に延伸した当止板１５を形成する。該当止板１５は加熱体２０を挿入する側面に、密封リング１６を嵌設するために供する環状の溝１５１と、螺子溝を具えてなる貫通孔１５２とが形成される。
【００２５】
加熱体２０は、ハウジング１０の形状に対応するように形成され、かつ体積を縮小した平たい楕円形の本体２１を具えてなる。該本体２１は、一端に当止板２２を具えてなる。該本体２１は、当止板２２の外周縁部と、ハウジング１０の凹溝１２１に対応する部分に突出した凸縁部２１１が形成されるため、凸縁部２１１を凹溝１２１に合わせて挿入することができる。該凸縁部２１１は、図２、５に開示するように、一部に切り欠き口２１２が形成されているため、供給した水が切り欠き口２１２を通過して循環する。また、本体２１は内部に発熱体２１３が設けられる。当止板２２は側面に、貫通孔１５２に対応する円い貫通孔２２１と、発熱体２１３に対応して接続する導電ヘッド２１４とを設けてなり、電気を通すと、電力が発熱体２１３に伝導して熱を発生する。
【００２６】
当止板２２の側面の下方で本体２１の側面の下方に対応する位置には給水孔２３が設けられる。該給水孔２３は、防水リング２３２を具えた給水ヘッド２３１を螺設して閉じられる。本体２１は、内部の略中心に当止板２２の方向に向けて気体収納室２４を設けてなる。該気体収納室２４は、当止板２２に開口を形成し、該開口にはヘッドのない螺子２４１が螺設される。また、気体収納室２４と本体２１との間は一端が気体収納室２４に接続し、他端が本体２１に接続して気体収納室２４から上方へ垂直に設けられた管体２４２で接続される。本体２１の底部には噴射口１３に対応して弁２４３が設けられ、ノズル１４が弁２４３に螺接されて噴射口１３の位置に設けられる。よって、噴射孔１４１が気体収納室２４とハウジング１０の外側とを貫通させる。また、管体２４２とノズル１４は、軸方向において差がある位置に設けられる。
【００２７】
ハウジング１０と加熱体２０とを接続する場合、凹溝１２１に凸縁部２１１を嵌合して当止板２２、１５が互いに緊密に接触するように接続して貫通孔１５２、２２１の位置を合わせて螺子（図には表示しない）で螺接してハウジング１０と加熱体２０とを固定接続する。また、密封リング１６を当止板２２に貼り付けてハウジング１０と加熱体２０が接続して防水性を具え、加熱体２０の温度の影響を受けて溶けることがない。
【００２８】
図４、６に開示するように、ハウジング１０の内側と加熱体２０の本体２１の外側との間に空間が形成される。また、凸縁部２１１は下方に互いに貫通してなる給水孔２３の水収納室３０が設けられて、上方の隙間に管体２４２、切り欠き口２１２に貫通した回流管３１を設けてなる。よって、ハウジング１０と加熱体２０は凸縁部２１１と凹溝１２１により接続され、ハウジング１０と加熱体２０との間に回流管３１と水収納室３０の空間が形成される。また、図１に開示するように、断面がU字状に形成されるため、体積を有効に節減して、蒸気発生手段を収納するハウジングの空間を節減する。
【００２９】
該蒸気発生手段を利用する場合、図４、５、６に開示するように、導電ヘッド２１４に電気を通すと、水がポンプで抽出されて給水ヘッド２３１を通して給水孔２３から水収納室３０に送られる。水は水収納室３０で発熱体２１３に加熱されて高温に達すると沸騰し、水蒸気が発生する。水蒸気は凸縁部２１１に沿って循環して切り欠き口２１２に達すると、水が重力の力で下に向けて流れる。回流管３１は上方にあるため、水は必ず加熱され、高温に達すると蒸気が上方に流動する。また、流動する間も本体２１により加熱されるため、蒸気が回流管３１に達する。回流管３１に達した後、蒸気は管体２４２を通過して気体収納室２４に送られて気体収納室２４の内部を流動する。その後蒸気は、加熱体２０の発熱体２１３により再び加熱されて、最後に小さな孔を具えてなる噴射孔１４１から噴射される。蒸気は流動する場所の面積の変化により圧力が加わるため、高温、高圧の蒸気を供することができる。
【００３０】
図７、８に、他の実施例を開示する。この実施例は前述の実施例と異なり、ハウジング１０と過加熱体２０との間にもう１つの加熱体４０が設けられる。該加熱体４０は、ハウジング１０、加熱体２０の形状と同じで、サイズが両者の間になるように形成される。即ち、加熱体４０は外側の軸方向の両側面に凸縁部４１が設けられ、ハウジング１０の凹溝１２１に挿入するために供し、内壁の軸方向の両側面には凹溝４１１が形成されて、加熱体２０の凸縁部２１１を挿入するために供する。また、該加熱体４０は発熱体４２を設けてなり、加熱体４０の一端には当止板４４が設けられる。該当止板４４は外側端縁部に発熱体４２に接続する導電ヘッド４２１を設けてなる。加熱体４０はノズル１４を設けられる対応して、孔４５が形成される。さらに、加熱体４０は軸方向に沿って複数の貫通孔４３を設けてなり、少なくとも１つの貫通孔４３が管体２４２に貫通する。
【００３１】
ハウジング１０の内壁と加熱体４０の外側との間には下方に水収納室３０が形成され、上方に回流管３１が形成され、加熱体４０の内壁と加熱体２０の外側との間の空間には第２回流管３２が形成されるため、該第２回流管３２が、貫通孔４３により回流管３１、水収納室３０と貫通される。
【００３２】
水がヘッド２３１から水収納室３０に進入すると、加熱体４０の加熱により発生した蒸気と水の一部が貫通孔４３を通過して第２回流管３２に進入する。その後、加熱体２０により第２回流管３２の水と蒸気が再び加熱されて図２に開示する切り欠き口２１２から第２回流管３２の上方に進入する。同様に、水収納室３０が高温になって水の蒸発により発生した蒸気は、回流管３１、貫通孔４３を通過して第２回流管３２に進入し、最後に管体２４２を通過して気体収納室２４に進入した後、ノズル１４から高温、高圧の蒸気が噴射される。
【００３３】
前述の実施例では加熱体４０を利用して水と蒸気を循環させて加熱、加圧する構造を説明した。前述の実施例では蒸気の噴射時間を遅らせて蒸気の温度と圧力を高め、蒸気の発生する効率を高める。また、ハウジング１０が熱の影響を受ける割合が低いため、蒸気発生手段の温度も大幅に低下して、使用寿命が長くなる。
【００３４】
また、この考案の蒸気発生手段は、ハウジングと加熱体の断面がＵ字状を呈するように形成されているため、体積が小さくなり、多種多様な形態に応用することができる。よって、製品の体積も小さくなる。さらに、加熱体の気体収納室及び噴射口、回流管は直径方向だけでなく、軸方向にも湾曲した形態に形成されているため、蒸気が加熱体の内部に滞留する時間が長く、反復して加熱される。その後、蒸気は噴射口の口径が小さいため圧縮され、流動する箇所の面積の変化により高温、高圧になり、噴射口から噴射される。その他、ハウジングと加熱体の間に設けられる密封リングが気密性を高め、加熱体の熱源から離れた位置に設けられているため、熱の影響を受けることがなく、融解することもない。よって、使用寿命が長くなるとともに、防水性を高めることができる。
【００３５】
以上はこの考案の好ましい実施例であって、この考案の実施の範囲を限定するものではない。よって、当業者のなし得る修正、もしくは変更であって、この考案の精神の下においてなされ、かつこの考案に対して均等の効果を有するものは、いずれもこの考案の実用新案登録請求の範囲に属するものとする。
【図面の簡単な説明】
【００３６】
【図１】この考案の蒸気発生手段を示した斜視図である。
【図２】図１に開示する蒸気発生手段の加熱体を示した斜視図である。
【図３】図１に開示する蒸気発生手段のハウジングと加熱体を示した分解図である。
【図４】図１に開示する蒸気発生手段を示した軸方向の断面図である。
【図５】図１に開示する蒸気発生手段を示した軸方向に直行する方向の断面図である。
【図６】図１に開示する蒸気発生手段の一端を示した断面図である。
【図７】この考案の蒸気発生手段の他の実施例の一端を示した断面図である。
【図８】図７に開示する蒸気発生手段を示した軸方向の断面図である。
【符号の説明】
【００３７】
１０   ハウジング
１１ 本体
１２ 収納室
１２１ 凹溝
１３ 噴射口
１４ ノズル 
１４１ 噴射孔
１５ 当止板
１５１ 溝
１５２ 貫通孔
１６ 密封リング
２０ 加熱体
２１ 本体
２１１ 凸縁部
２１２ 切り欠き口
２１３ 発熱体
２１４ 導電ヘッド
２２ 当止板
２２１ 貫通孔
２３ 給水孔
２３１ 給水ヘッド
２３２ 防水リング
２４ 気体収納室
２４１ 螺子
２４２ 管体
２４３ 弁
３０ 水収納室
３１ 回流管
３２ 第２回流管
４０ 加熱体
４１ 凸縁部
４１１ 凹溝
４２ 発熱体
４２１ 導電ヘッド
４３ 貫通孔
４４ 当止板
４５ 孔
【図１】
0003122060.tif 000003
【図２】
0003122060.tif 000004
【図３】
0003122060.tif 000005
【図４】
0003122060.tif 000006
【図５】
0003122060.tif 000007
【図６】
0003122060.tif 000008
【図７】
0003122060.tif 000009
【図８】
0003122060.tif 000010